(57)【特許請求の範囲】
【請求項１】
ラピッドスターター方式の蛍光灯装置の一端に接続する２つの接続部が配置されたＧ１３口金とＴ５管蛍光灯の一端に接続する２つの接続部が配置されたＧ５口金受け部とを具備する主アダプター部と、前記ラピッドスターター方式の蛍光灯装置の他端と接続する２つの接続部が配置されたＧ１３口金と前記Ｔ５管蛍光灯の他端と接続する２つの接続部が配置されたＧ５口金受け部とを具備する従アダプター部を有し、前記従アダプター部におけるＧ１３口金のうちの一つの接続部（８１ｂ）とＧ５口金受け部における接続部７１ａと接続部７１ｂとを線で接続し、前記主アダプター部には整流回路とインバータ回路を電気的に接続して具備し、前記整流回路に交流電源を供給し、前記整流回路で直流電源に変換し、前記インバータ回路において高周波電流に変換させ、Ｔ５蛍光灯を点灯させるために、前記整流回路からの線３５をＧ１３口金における接続部５１ｂと接続し、前記整流回路からの線３６と、前記従アダプター部におけるＧ１３口金のうちの他の接続部（８１ａ）を線９４で接続することを特徴とする蛍光灯補助装置。
【請求項２】
２灯式のラピッドスターター方式の蛍光灯装置の一端に接続する２つの接続部が配置されたＧ１３口金とＴ５管蛍光灯の一端に接続する２つの接続部が配置されたＧ５口金受け部とを具備する主アダプター部を２個有し、前記ラピッドスターター方式の蛍光灯装置の他端と接続する２つの接続部が配置されたＧ１３口金と前記Ｔ５管蛍光灯の他端と接続する接続部７１ａと接続部７１ｂが配置されたＧ５口金受け部とを具備する従アダプター部を２個有し、前記２個の従アダプター部のうち、一方の従アダプター６０′におけるＧ１３口金の一つの接続部８１ｂ′とＧ５口金受け部における接続部７１ａと接続部７１ｂとを線で接続し、前記２個の従アダプター部のうち、他方の従アダプター６０″におけるＧ１３口金の一つの接続部８１ｂ″とＧ５口金受け部における接続部７１ａと接続部７１ｂとを線で接続し、
前記２個の主アダプター部には整流回路とインバータ回路をそれぞれ電気的に接続して具備し、前記整流回路に交流電源を供給し前記インバータ回路において高周波電流に変換するために、前記２個の主アダプター部のうち
一方の主アダプター部１０′における前記整流回路２０′の線を当該主アダプター部１０′のＧ１３口金における接続部５１ｂと接続し、当該主アダプター部１０′における前記整流回路２０′から線３６′を線９４ｂ′に接続し、かつ線３７″に接続することによって他方の主アダプター部１０″におけるＧ１３口金の接続部５１ａと接続し、
他方の主アダプター部１０″における前記整流回路２０″の線を当該主アダプター部１０″のＧ１３口金における接続部５１ｂと接続し、当該主アダプター部１０″における前記整流回路２０″から線３６″を線９４ｂ″に接続し、かつ線３７′に接続することによって一方の主アダプター部１０′におけるＧ１３口金の接続部５１ａと接続することを特徴とする蛍光灯補助装置。
【発明の詳細な説明】
【技術分野】
【０００１】
本発明は、ラピッドスタート式蛍光灯装置にＴ１０管あるいはＴ８管蛍光灯を、Ｔ５管蛍光灯に置き換えて使用するための蛍光灯補助装置に関するものである。
【背景技術】
【０００２】
一般的にオフィスビルなどにおいて、たとえば空調設備、動力設備とともに、照明器具に占める電力使用量の割合は比較的大きいことが知られている。従って、当該照明器具を高効率化すれば電力の使用量を減らせると共に、ＣＯ２排出量の削減を図り地球温暖化を防ぐための一助になるとともに、電力の使用量を抑えることが、電力コストの削減を図ることができることは言うまでもない。
【０００３】
ここで上記照明器具は、一時的に点灯させる電球あるいは長時間点灯させる蛍光灯などいくつかのものが考えられるが、特に長時間点灯している蛍光灯における電力の使用量の削減を図ることができれば、オフィスビル全体の電力使用量を削減できると共にＣＯ２排出量の削減に貢献することができる。そこで、各蛍光灯を、いわゆるＬＥＤ電灯に置き換えることで、電力使用量を削減するとともにＣＯ２排出量を削減するということが考えられている。しかしながら、一般的な照明器具である蛍光灯と比較して、電力使用量は減らせるものの、ＬＥＤ電灯そのものの価格が高く、初期投資を含めた長期間のランニングコストを考慮すれば、単位時間当たりの電力コストを削減することができるが、多額の初期投資が必要となり、必ずしも一般的ではない。
【０００４】
一方で、直径１６mm前後のいわゆるＴ５管と呼ばれる蛍光灯は、通常使用されている直径３２mm前後のいわゆるＴ１０管あるいは直径２６mm前後のいわゆるＴ８管蛍光灯と比べて、管径を細くすることができるため原材料の使用量を減らせ、その廃棄時には廃棄コストも削減することができ、更に消費電力も減らせるものである。また、蛍光灯のガラス管の中に水銀を封入しているがその水銀使用量もＴ１０管あるいはＴ８管蛍光灯と比べて低減される。またランプ自体の発熱量も下げられるために空調設備の電力量を削減できるという利点がある。更に、Ｔ８、３６Ｗ管とＴ５、２８Ｗ管は、一例ではあるが、Ｔ８ ３６Ｗ：２９５０ｌｍ（８２ｌｍ/ｗ）に対し、Ｔ５ ２８Ｗ：２６００ｌｍ（９３ｌｍ/ｗ） であり、Ｔ５管蛍光灯の方の効率が良い。
【０００５】
従って、オフィスビルで使用されているＴ１０管あるいはＴ８管蛍光灯を、Ｔ５管と呼ばれる蛍光灯に置き換えることができれば、上記利点を享受することができる。しかしながら、Ｔ８管、３６Ｗ管（またはＴ１０管、４０Ｗ管）は、Ｇ１３口金、管長１１９９．４ｍｍに対し、Ｔ５管、２８Ｗ管は、Ｇ５口金、管長１１４９ｍｍであり、長さで５０．４ｍｍの差がある。そのために、Ｔ１０管あるいはＴ８管蛍光灯を保持する蛍光灯装置との寸法的な互換性がなく、上記Ｔ５管蛍光灯を各オフィスビルに採用しようとすれば、上記蛍光灯装置そのものを変更しなければならず、設備投資に多大な費用が嵩むためこれも一般的ではない。また消費電力を増やさずに照度を確保するため、効率を上げる必要がある。またＴ５管蛍光灯は、ＨＦ（インバータ）専用しかなく、仮にＴ１０管蛍光灯等との寸法的な差異を考慮せずＴ５管蛍光灯を、ラピッドスターター蛍光灯装置に接続できたとしても点灯しない。
【０００６】
これに対して、特許第３９９９４６２号公報に記載されている発明によれば、蛍光灯の省エネルギーの運転のための回路なる発明が記載されている。しかしながら上記回路は、いわゆるグロースタータ用蛍光灯装置に使用するための回路である。すなわち、グロースタータ用蛍光灯装置においてはグローランプ内の電極同士が接触するとグローランプ側で閉回路が構成されるので、当該グローランプ内において、短絡する構成となっており、上記グロースタータ用蛍光灯装置に前記回路を適用した場合に、当該回路の整流回路に交流電源を導入することができる構成になっている。しかしながら、上記回路をオフィスで広く普及しているラピッドスターター用蛍光灯装置に使用し、Ｔ１０管あるいはＴ８管蛍光灯を、Ｔ５管と呼ばれる蛍光灯に置き換えて上記回路が内蔵されているアダプターを使用したとしても、蛍光灯装置の一端に配置される前記アダプターの整流回路に交流電源を導入する構成とはなっていないため、上記アダプターを使用したとしてもＴ５管と呼ばれる蛍光灯を点灯させることができない。またラピットスタート方式には、２灯式と呼ばれるタイプが多く、このタイプは２本蛍光管を同時に取り付けた場合にのみ点灯する構成となっている。しかしながら、上記回路は、ラピッドスターター方式における２灯式蛍光灯装置に使用することは何ら考慮されておらず、当該装置に適用することができない。また、蛍光灯装置の内部配線を変更することもできるが、当該装置の大幅な変更が必要であり、交換するためのコストの増大につながる。
【０００７】
【特許文献１】特許第３９９９４６２号
【発明の開示】
【発明が解決しようとする課題】
【０００８】
本発明は前記の点に着目してなされたもので、その課題は、ラピッドスターター用蛍光灯装置にＴ１０管あるいはＴ８管蛍光灯を、Ｔ５管と呼ばれる蛍光灯に置き換えることができる蛍光灯補助装置を提供することである。また、更に、ラピッドスターター方式である前記２灯式蛍光灯装置において、Ｔ１０管あるいはＴ８管蛍光灯を、Ｔ５管と呼ばれる蛍光灯に置き換えることができる蛍光灯補助装置を提供することである。またラピッドスタート式の蛍光灯装置においてＴ５管蛍光灯を高周波電流において点灯することを蛍光灯装置の変更なしで行うことでちらつきを防止し、交換コストの削減を目的とする。
【課題を解決するための手段】
【０００９】
前記の課題を解決するため、本発明は、ラピッドスターター方式の蛍光灯装置の一端に接続する２つの接続部が配置されたＧ１３口金とＴ５管蛍光灯の一端に接続する２つの接続部が配置されたＧ５口金受け部とを具備する主アダプター部と、前記ラピッドスターター方式の蛍光灯装置の他端と接続する２つの接続部が配置されたＧ１３口金と前記Ｔ５管蛍光灯の他端と接続する２つの接続部が配置されたＧ５口金受け部とを具備する従アダプター部を有し、前記従アダプター部におけるＧ１３口金のうちの一つの接続部とＧ５口金受け部における２つの接続部と接続し、前記主アダプター部には整流回路とインバータ回路を具備し、前記整流回路に交流電源を供給し、前記整流回路で直流電源に変換し、前記インバータ回路において高周波電流に変換させ、Ｔ５蛍光灯を点灯させるために、前記整流回路からの導体を従アダプター部に配置された２つの接続部のうちの他の一つの接続部と接続するという手段を講じたものである。
【００１０】
通常、蛍光灯装置においては、蛍光灯の両端に交流電源が導入されているので、蛍光灯両端のフィラメントが安定器から供給される電流で加熱されると同時に始動に必要な電圧が蛍光灯の両端にかかるために、始動補助導体とフィラメントの間に微弱な放電が発生し、すぐに主放電に発展し蛍光灯が点灯する。従って、蛍光灯の一端にのみ交流電源を導入することはできないが、本発明によれば、主アダプター部に配置された整流回路に主アダプター部からの導体を従アダプター部に配置された２つの端子のうちの一つの接続部により接続するという手段を講じたものであるので、主アダプター部に配置される整流装置に、交流電源を導入することができ、インバータ回路を駆動することで、Ｔ５管蛍光灯を点灯することができる。従って、消費電力の少ないＴ５管蛍光灯を高周波で点灯することで高効率化を図ると共に、ちらつきを抑えることができる。尚、前記導体は、線とすることもできるが、導電性をもつものであればこれに限られない。
【００１１】
前記の課題を解決するため、本発明は、２灯式のラピッドスターター方式の蛍光灯装置の一端に接続する２つの接続部が配置されたＧ１３口金とＴ５管蛍光灯の一端に接続する２つの接続部が配置されたＧ５口金受け部とを具備する主アダプター部を２個有し、前記ラピッドスターター方式の蛍光灯装置の他端と接続する２つの接続部が配置されたＧ１３口金と前記Ｔ５管蛍光灯の他端と接続する２つの端接続が配置されたＧ５口金受け部とを具備する従アダプター部を２個有し、前記２個の従アダプター部におけるＧ１３口金のうちの一つの接続部とＧ５口金受け部における２つの接続部を接続し、前記２個の主アダプター部には整流回路とインバータ回路をそれぞれ具備し、前記整流回路に交流電源を供給し前記インバータ回路において高周波電流に変換するために、前記２個の主アダプター部のうち一方の主アダプター部に配置された２つのうちの１つの接続部と他の一方の主アダプター部に配置された２つの接続部のうち他の一つの接続部とそれぞれ導体にて接続するという手段を講じたものである。
【００１２】
上記構成を具備する２灯式のラピッドスターター方式の蛍光灯装置に、２つのＴ５管蛍光灯を取り付ける際にそれぞれのＴ５管蛍光灯に上記２つの蛍光灯補助装置をそれぞれ取り付け、それぞれの主アダプター部に、それぞれ導体を接続したので、前記２灯式のラピッドスターター方式の蛍光灯装置の内部配線を何ら変更することなく、各主アダプター部における整流回路に交流電源を供給することができ、インバータ回路を駆動することで、２灯式の各Ｔ５管蛍光灯を点灯することができる。この場合に、２灯式のラピッドスターター方式の蛍光灯装置を取り換える必要がないだけでなく、高周波電流にて点灯することができるので、２灯式のラピッドスターター方式の蛍光灯装置においても、前記Ｔ５管蛍光灯をちらつきなく照度をあげて点灯することができる。尚、前記それぞれの導体を、クロス配線とすることもできるが、導電性をもつものであればこれに限られない。
【発明の効果】
【００１３】
本発明は、以上の如く構成されるため、ラピッドスターター用蛍光灯装置に、前記蛍光灯補助装置を使用して高効率なＴ５管蛍光灯を取り付けることができると共に、インバータ回路によって、蛍光灯の光量を上げつつちらつきを抑えることができる。また、２灯式のラピッドスターター方式の蛍光灯装置に上記補助装置を使用するだけで前記２灯式のラピッドスターター方式の蛍光灯装置の内部配線を何ら変えることなく、インバータ回路を駆動しＴ１０管蛍光灯にかえてＴ５管蛍光灯を使用することができるので、蛍光灯の光量を上げつつちらつきを抑えることができる。従って、Ｔ５管蛍光灯に取り換える際に、蛍光灯装置の取り換えを必要とせず、比較的安価にＴ５管蛍光灯を導入することができる。また、このようなものはオフィスビルのみならず、コンビニエンスストア、スーパーマーケット、学校、病院等の公共施設または、一般家庭等、ラピットスタート式蛍光灯装置を使用するところであればあらゆるところに適用することができるので、あまりコストをかけずに省電力化及びＣＯ２排出量削減を図ることができる。また、Ｔ５管蛍光灯はＴ１０管あるいはＴ８管蛍光灯と比べて使用する原材料が少なく、当該Ｔ５管蛍光灯の廃棄時においても、Ｔ１０管あるいはＴ８管蛍光灯と比べて廃棄コストを削減することができる。
【発明を実施するための最良の形態】
【００１４】
以下図示の実施形態を参照して本発明をより詳細に説明する。図１は、１灯式蛍光灯装置にＴ５管蛍光灯に蛍光灯補助装置を配置した概念図である。図２は、主アダプター部の配線図である。図３は、１灯式蛍光灯装置に使用する従アダプター部の配線図である。図４は、２灯式蛍光灯装置にＴ５管蛍光灯に蛍光灯補助装置を配置した概念図である。図５は、２灯式蛍光灯装置に使用する従アダプター部の配線図である。図６Ａ〜Ｄは主アダプター部の正面図等である。図７Ａ〜Ｄは、１灯式蛍光灯装置に使用する従アダプター部の正面図等である。図８Ａ〜Ｄは、２灯式蛍光灯装置に使用する従アダプター部の正面図等である。
図９中Ａ、Ｂは、２灯式蛍光灯装置に使用するクロス配線の正面図等である。図１０中Ａは、１灯式蛍光灯装置に蛍光灯補助装置を配置した全体図である。Ｂは、２灯式蛍光灯装置に蛍光灯補助装置を配置した全体図である。
【００１５】
本発明に係る１灯式の蛍光灯補助装置１は、主アダプター部１０と従アダプター部６０と線９４で構成される。主アダプター部１０は、整流回路２０とインバータ回路３０と、Ｔ５蛍光管１の一端と接続するＧ５口金受け部４０と１灯式ラピッドスタート蛍光灯装置９０と接続するＧ１３口金部５０を具備する。Ｔ５蛍光灯５はその一端にＧ５口金のピン６ａ、６ｂを有し、前記Ｇ５口金受け部４０は、Ｔ５蛍光灯５の一端のＧ５口金のピン６ａ、６ｂと接続する接続部４１ａ、４１ｂを有する。またＧ１３口金部５０の接続部５１ａ、５１ｂはラピッドスタート式蛍光灯装置９０におけるコネクター９１ａ、９１ｂと接続することができる。また、主アダプター部１０における線３５は、Ｇ１３口金部５０の接続部５１ａと接続される。また線３６は後述する主アダプター部１０のコネクター部１２に接続されている。なお、ラピッドスタート式蛍光灯装置９０は、点灯管を使用せず始動補助導体を持ったラピッドスタート形蛍光灯と、予熱巻線付きの磁気漏れ変圧器形安定器の組み合わせで始動する従来周知の構成である。点灯はほぼ即時で、いわゆるグロースタータ方式よりも素早く点灯することができる。またＰは、交流電源である。
【００１６】
従アダプター部６０は、Ｔ５蛍光管５の他端と接続するＧ５口金受け部７０とＧ１３口金部８０を具備する。Ｔ５蛍光灯５はその他端にＧ５口金のピン７ａ、７ｂを有し、前記Ｇ５口金受け部７０は、Ｔ５蛍光灯５における他端のＧ５口金のピン７ａ、７ｂと接続する接続部７１ａ、７１ｂを有する。またＧ１３口金部８０の接続部８１ａ、８１ｂはラピッドスタート式蛍光灯装置９０におけるコネクター９１ｃ、９１ｄと接続している。また、従アダプター部６０のＧ５口金受け部７０における接続部７１ａ、７１ｂに接続されている線７２ａと線７２ｂは、線７３に接続され、前記Ｇ１３口金部８０のＧ１３口金の接続部８１ｂに接続されている。さらに、Ｇ１３口金部８０における８１ａは後述する線９４に接続されている。尚、線９４は、電気を通すことができる導体であれば特に限定はない。
【００１７】
主アダプター部１０における内部の構成について、整流回路２０は、交流電力を整流する４つのダイオード２１ａ、２１ｂ、２１ｃ、２１ｄ（いわゆるダイオードブリッジ）と、ダイオード２２ａ、２２ｂ、２２ｃ及びコンデンサ２３ａ、２３ｂからなる脈流を抑制する平滑回路と、コンデンサ２５、２６で構成される。ここで、前記交流電力を整流するいわゆる前記ダイオードブリッジと、ダイオード２２ａ、２２ｂ、２２ｃとコンデンサ２３ａ、２３ｂからなる平滑回路の組合せは整流回路として周知な構成である。尚、コンデンサ２５、２６はＥＭＩ（Electro Magnetic Interference、いわゆるノイズ）対策のためのものである。これについては後述する。
【００１８】
主アダプター部１０に入力された交流電力は前記整流回路２０におけるダイオードブリッジの働きにより、電圧が絶対値化（マイナス部分が無い）され、さらに前記平滑回路により、電圧変動の小さい、いわゆる直流電力に変換される。ここで、前記交流電圧は、ラピッド安定器でおよそ２２０ボルトに昇圧されており、整流回路２０で変換された直流電圧はおよそ３００ボルトである。
【００１９】
インバータ回路３０は、インバータドライバ３１により発生させた発振出力LO、HOを、トランジスタ３２ａ、３２ｂからなる電界効果トランジスタ（Field effect transistor、FET）により高電圧化し、コンデンサ３３ａ、３３ｂ、コイル３４の作用により、Ｔ５蛍光灯５に電圧および電流を供給し前記Ｔ５蛍光灯５を点灯させている。即ち、電界効果トランジスタ３２ａ、３２ｂは、ゲートＸに対ドレインＺで一定（４V程度）以上の電圧を加えるとドレインＺ対ソースＹ間を低抵抗化することができる。トランジスタ３２ａのソースＹは先の直流（ＤＣ）電力（およそ300ボルト）に接続されているので、インバータドライバ３１からの出力の働きにより、トランジスタ３２ａ、３２ｂの中間部３５は、高電圧化（およそ300ボルト）した発振出力を得ることができる。
【００２０】
ここで、上記ＥＭＩ（Electro Magnetic Interference、いわゆるノイズ）対策のためのコンデンサ２５、２６は、インバータドライバ３１とトランジスタ３２ａ、３２ｂにより発生したによるノイズが、元の交流電力に漏洩するのを防ぐためのもので、これはコンデンサのフィルター機能により、ノイズを減少させることができる。尚、前記コンデンサ２５、２６は任意に使用することができる。
【００２１】
また、抵抗３６ａ及び抵抗３６ｂは電解コンデンサ２３ａ、２３ｂの放電用抵抗である。抵抗３６ｃ及び抵抗３６ｄは、インバータドライバ３１に電源電流を供給する抵抗である。コンデンサ３３ｃはバイパスコンデンサであり、ダイオード３８ａ及びダイオード３８ｂは、インバータドライバ３１の保護用のダイオードである。抵抗３６ｅとコンデンサ３３ｄとコンデンサ３３ｅはインバータドライバ３１の設定に必要な抵抗およびコンデンサである。尚抵抗３６ｆは、抵抗値を０オームとすることもできる。また、コンデンサ３３ｆを配置することもできる。 尚、ヒューズ３９は、定格以上の大電流から電気回路を保護、あるいは加熱や発火を防止するためのものである。
【００２２】
主アダプター部１０の形状はほぼ円筒形で、その内側部１１は、Ｔ５蛍光５との一端部がＧ５口金受け部４０の接続部４１ａ、４１ｂと接続することができる筒状の形状になっている。主アダプター部１０には線９４を接続できるコネクター部１２が設けられている。また、従アダプター部６０は、ラピットスタート式蛍光灯装置９０と接続される側の形状はほぼ円筒形であり、Ｔ５管蛍光灯と接続することができるように、内側部６１を有し、その外観構成は蛍光灯収納部６２と蛍光灯支持部６３の２段構成となっている。また、従アダプター部６０の前記蛍光灯収納部６２に線９４が配置されている。(図７参照)。
【００２３】
このような構成の主アダプター部１０と、従アダプター部６０をＴ５管蛍光灯の両端部にそれぞれ取り付け、従アダプター部６０に配置されている線９４を、主アダプター部１０のコネクター部１２と接続する。このようにした状態で、ラピットスタート式蛍光灯装置９０のスイッチを入れると、交流電源Ｐに接続された線９５から９１ｃを経てＧ１３口金部８１ａを経由して線９４が線３６に接続され、蛍光灯装置９０に接続された線９６ａは、線３５に接続されることにより、交流電源が整流回路２０に接続され、交流電圧を直流電圧に変換しインバータ回路３０によって再び交流電圧に変換され、Ｔ５管蛍光灯５が点灯する。Ｔ８管あるいはＴ１０管蛍光灯よりも消費電力が少なく、さらに上記インバータ回路３０で、交流電源の周波数よりも高周波になっているので、照度が上がるとともにちらつきが少なくなる。なお、主アダプター部１０と、従アダプター部６０をＴ５管蛍光灯の両端部にそれぞれ取り付けた場合の全長は、Ｔ１０あるいはＴ８管蛍光との全長とほぼ同一であるので、Ｔ１０あるいはＴ８蛍光灯を取り付けられる蛍光灯装置に取り付けることができる。後に述べる２灯式の蛍光灯装置についても同様である
【００２４】
本発明に係る２灯式の蛍光灯補助装置１′は、２本の各Ｔ５管蛍光灯５′５″に接続するためのそれぞれ２つの主アダプター部１０′、１０″と従アダプター部６０′、６０″と、前記２つの各主アダプター部１０′、１０″同士を接続するクロス配線９４′とで構成される。ここで、２灯式ラピッドスタート蛍光灯装置９０′に使用する主アダプター部１０′、１０″と従アダプター部６０′、６０″について説明する。２灯式ラピッドスター式蛍光灯装置に使用する主アダプター部１０′、１０″は、１灯式に使用するものと同一である。また、従アダプター部６０′、６０″の内部構成及び外観構造は、１灯式に於ける従アダプター部６０の線９４を外した構成であり、それ以外は１灯式に使用する従アダプター部６０と同様であるので、同一の図示番号を付しつつ、詳細な説明は省略する。尚、従アダプター部６０′の接続部８１ａ′、８１ｂ′及び従アダプター部６０″の接続部８１ａ″、８１ｂ″については、後ほど説明する。
【００２５】
ラピッドスタート式シーケンス型安定器を内蔵した直列２灯用の蛍光灯装置に使用する場合は、主アダプター部１０′と従アダプター部６０′を、一方のＴ５管蛍光灯５′に取り付け、他の一方のＴ５管蛍光灯５″に主アダプター部１０″と従アダプター部６０″をそれぞれ取り付ける。図４の構成によれば、前記２灯式ラピッドスタート蛍光灯装置９０′（における安定器）から出力された線９６ａ′、９６ｂ′のうち、線９６ａ′が主アダプター部１０′のコネクター９１ａ′に接続される。また、また、前記２灯式ラピッドスタート蛍光灯装置９０′（における安定器）から出力された線９６ｂ′は、コネクター９６ｂ′を介して線３７′に接続される。
【００２６】
同様に、２灯式ラピッドスタート蛍光灯装置９０′（における安定器）から出力された線９６ａ″、９６ｂ″のうち、線９６ａ″がコネクター９１ａ″に接続される。また、前記２灯式ラピッドスタート蛍光灯装置９０′（における安定器）から出力された線９６ｂ″は、コネクター９６ｂ″を介して線３７″に接続される。
【００２７】
ここで、前記２灯式ラピッドスタート蛍光灯装置９０′（における安定器）から出力された線９６ａ′と線９６ｂ′の間の電圧は１０Ｖ前後の電圧であり、線９６ａ″と線９６ｂ″との間の電圧もまた同様に１０Ｖ前後の電圧である。従って、この程度の電圧を整流回路に印加してもインバータ回路３０は駆動しない。しかしながら、線９６ａ′と線９６ｂ″との間の電圧は、通常２００ボルトを超える電圧である。また、線９６ａ″と線９６ｂ′も同様である。従って、上記の様な電圧を整流回路に印加することができればインバータ回路３０を駆動することができる。
【００２８】
従って、主アダプター部１０′のコネクター部１２′とクロス配線９４′を接続し、前記クロス配線９４′を主アダプター部１０″のコネクター部１２″接続する。このようにすることで、線３７′と線３６″がクロス配線９４′における線９４ａ′で接続され、線３６′と線３７″がクロス配線９４′における線９４ｂ′で接続される。この状態で、蛍光灯装置９０′のスイッチを入れればそれぞれの本体アダプター部１０′及び１０″の整流回路部２０′、２０″に十分な電圧が印加され、インバータ回路３０′及び３０″を駆動することができると同時に、Ｔ５蛍光管５′と接続される従アダプター部６０′の、接続部８１ａ′と、Ｔ５蛍光管５″と接続される従アダプター部６０″の、接続部８１ｂ″は、それぞれコネクター９１ｃ′９１ｄ″を介して線９５ａ′と接続される。また、Ｔ５蛍光管５′と接続される従アダプター部６０′の、接続部８１ｂ′と、Ｔ５蛍光管５″と接続される従アダプター部６０″の、接続部８１ａ″は、それぞれコネクター９１ｄ′９１ｃ″を介して線９５ｂ′と接続される。従って、蛍光灯装置９０′からＴ５管蛍光灯５′５″の点灯に必要な交流電圧が供給されるので、上記の通りインバータ回路３０′及び３０″が駆動し、Ｔ５管蛍光灯５′、５″が点灯させることができる。尚、クロス配線９４′は、線３７′と線３６″を電気的に接続することができればよく、線３６′と線３７″を電気的に接続することができればよい。従ってそれぞれ電気を通すことのできる導体で接続することができればクロス配線に限られない。
【図面の簡単な説明】
【００２９】
【図１】１灯式蛍光灯装置にＴ５管蛍光灯に蛍光灯補助装置を配置した概念図
【図２】主アダプター部の配線図
【図３】１灯式蛍光灯装置に使用する従アダプター部の配線図
【図４】２灯式蛍光灯装置にＴ５管蛍光灯に蛍光灯補助装置を配置した概念図
【図５】２灯式蛍光灯装置に使用する従アダプター部の配線図
【図６】Ａは、主アダプター部の正面図。Ｂは、主アダプター部の背面図。Ｃは、主アダプター部の右側面図。Ｄは、主アダプター部の左側面図。
【図７】Ａは、１灯式蛍光灯装置に使用する従アダプター部の正面図。Ｂは、１灯式蛍光灯装置に使用する従アダプター部の背面図。Ｃは、１灯式蛍光灯装置に使用する従アダプター部の右側面図。Ｄは、１灯式蛍光灯装置に使用する従アダプター部の左側面図
【図８】Ａは、２灯式蛍光灯装置に使用する従アダプター部の正面図。Ｂは、２灯式蛍光灯装置に使用する従アダプター部の背面図。Ｃは、２灯式蛍光灯装置に使用する従アダプター部の右側面図。Ｄは、２灯式蛍光灯装置に使用する従アダプター部の左側面図。
【図９】Ａは、２灯式蛍光灯装置に使用するクロス配線の正面図。Ｂは、２灯式蛍光灯装置に使用するクロス配線の背面図。
【図１０】Ａは、１灯式蛍光灯装置に蛍光灯補助装置を配置した全体図。Ｂは、２灯式蛍光灯装置に蛍光灯補助装置を配置した全体図。
【符号の説明】
【００３０】
１ 蛍光灯補助装置
５ Ｔ５管蛍光灯
１０ 主アダプター部
１２ コネクター部
２０ 整流回路
３０ インバータ回路
４０ Ｇ５口金受け部
４１ａ 接続部
４１ｂ 接続部
５０ Ｇ１３口金部
５１ａ 接続部
５１ｂ 接続部
６０ 従アダプター部
７０ Ｇ５口金部受け部
７１ａ 接続部
７１ｂ 接続部
８０ Ｇ１３口金部
８１ａ 接続部
８１ｂ 接続部
９４ 線
９４′ クロス配線
【図１】
0005306310.tif 000002
【図２】
0005306310.tif 000003
【図３】
0005306310.tif 000004
【図４】
0005306310.tif 000005
【図５】
0005306310.tif 000006
【図６】
0005306310.tif 000007
【図７】
0005306310.tif 000008
【図８】
0005306310.tif 000009
【図９】
0005306310.tif 000010
【図１０】
0005306310.tif 000011